【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
音楽部分と、会話部分とが混在して形成された混在データから、当該混在データがどれだけ音楽らしいかを表す曲らしさを検出する曲らしさ検出部と、
上記混在データの音量レベルを検出する音量レベル検出部と、
上記曲らしさ検出部により検出された曲らしさと、上記音量レベル検出部により検出された音量レベルとに応じて、上記混在データの中で、上記音楽部分に相当する音楽部分区間と、上記会話部分に相当する会話部分区間とを特定する区間特定部と、
上記区間特定部により上記音楽部分区間と上記会話部分区間とが特定された上記混在データを記録する記録部と
を具えるデータ記録装置。
【請求項２】
上記音楽部分と上記会話部分とが混在する番組に応じて出力された放送波を受信して受信信号を生成する受信部と、
上記受信部が生成した上記受信信号から上記混在データを生成するデータ処理部と
を具え、
上記曲らしさ検出部は、
上記データ処理部が生成した上記混在データの曲らしさを検出し、
上記音量レベル検出部は、
上記データ処理部が生成した上記混在データの音量レベルを検出する
請求項１に記載のデータ記録装置。
【請求項３】
上記記録部に記録されているデータを読出すデータ処理部
を具え、
上記記録部は、
区間が未特定の上記混在データを予め記録し、
上記データ処理部は、
上記記録部に予め記録された上記混在データを読み出し、
上記曲らしさ検出部は、
上記データ処理部により読出された上記混在データの上記曲らしさを検出し、
上記音量レベル検出部は、
上記データ処理部により読出された上記混在データの上記音量レベルを検出する
請求項１に記載のデータ記録装置。
【請求項４】
上記区間特定部は、
上記曲らしさに応じて、上記混在データの中で、上記音楽部分区間と上記会話部分区間との境界を含む所定の境界範囲を特定し、上記音量レベルに応じて、当該境界範囲に含まれる上記音楽部分区間と上記会話部分区間との境界を特定する
請求項１に記載のデータ記録装置。
【請求項５】
上記区間特定部は、
上記曲らしさが、上記混在データの上記音楽部分と上記会話部分との判別用の所定の判別閾値を越えた位置を基準位置として検出し、当該検出した基準位置に応じて上記境界範囲を特定する
請求項４に記載のデータ記録装置。
【請求項６】
上記区間特定部は、
上記曲らしさが上記判別閾値を越えた時点から、当該曲らしさが当該判別閾値を越えた状態が、上記混在データの上記音楽部分と上記会話部分との判別用の所定の判別時間のあいだ継続した場合に、上記音量レベルに応じて、上記境界範囲に含まれる上記音楽部分区間と上記会話部分区間との上記境界を特定する
請求項５に記載のデータ記録装置。
【請求項７】
上記区間特定部は、
上記曲らしさが上記判別閾値を越えた時点から、当該曲らしさが当該判別閾値を越えた状態が、上記混在データの上記音楽部分と上記会話部分との判別用の所定の判別時間のあいだ継続しなかった場合に、上記境界範囲に含まれる上記音楽部分区間と上記会話部分区間との上記境界を特定しない
請求項５に記載のデータ記録装置。
【請求項８】
上記区間特定部は、
上記境界範囲内で最も音量レベルが低い最低音量レベル位置を検出し、当該検出した最低音量レベル位置に応じて、上記境界範囲に含まれる上記音楽部分区間と上記会話部分区間との上記境界を特定する
請求項４に記載のデータ記録装置。
【請求項９】
上記区間特定部は、
上記音量レベルにより、上記境界範囲内で所定の範囲以上の無音が継続する無音区間を検出し、当該検出した上記無音区間に応じて、上記境界範囲に含まれる上記音楽部分区間と上記会話部分区間との上記境界を特定する
請求項４に記載のデータ記録装置。
【請求項１０】
上記区間特定部は、
検出した上記無音区間の、上記音量レベルにより上記無音を最初に検出した位置に応じて、上記境界範囲に含まれる上記音楽部分区間と上記会話部分区間との上記境界を特定する
請求項９に記載のデータ記録装置。
【請求項１１】
上記区間特定部は、
検出した上記無音区間の、上記音量レベルにより当該無音区間の後に最初に有音を検出した位置に応じて、上記境界範囲に含まれる上記音楽部分区間と上記会話部分区間との上記境界を特定する
請求項９に記載のデータ記録装置。
【請求項１２】
上記区間特定部は、
上記音量レベルにより、所定の範囲以上の無音が継続する無音区間を検出した後に、上記曲らしさが、上記混在データの上記音楽部分と上記会話部分との判別用の所定の判別閾値を越えたとき、検出した上記無音区間に応じて、上記音楽部分区間と上記会話部分区間との境界を特定する
請求項１に記載のデータ記録装置。
【請求項１３】
上記区間特定部は、
上記音量レベルにより、所定の範囲以上の無音が継続する上記無音区間を検出した後に、上記曲らしさが、上記混在データの上記音楽部分と上記会話部分との判別用の所定の判別閾値を越えなかったときに、上記音楽部分区間を上記無音区間で分割する又は上記会話部分区間を上記無音区間で分割する
請求項１２に記載のデータ装置。
【請求項１４】
上記区間特定部は、
検出した上記無音区間の、上記音量レベルにより上記無音を最初に検出した位置に応じて、上記境界範囲に含まれる上記音楽部分区間と上記会話部分区間との上記境界を特定する
請求項１２に記載のデータ記録装置。
【請求項１５】
上記区間特定部は、
上記音量レベルにより上記無音区間の後に最初に有音を検出した位置に応じて、上記境界範囲に含まれる上記音楽部分区間と上記会話部分区間との上記境界を特定する
請求項１２に記載のデータ記録装置。
【請求項１６】
上記区間特定部は、
上記混在データの上記音楽部分区間と上記会話部分区間とを特定したとき、当該特定結果に応じて区間特定情報を生成し、
上記記録部は、
上記混在データと上記区間特定情報とを記録する
請求項１に記載のデータ記録装置。
【請求項１７】
上記区間特定部は、
上記混在データの上記音楽部分区間と上記会話部分区間とを特定したとき、当該特定結果に応じて区間特定情報を生成して当該混在データに付加し、
上記記録部は、
上記区間特定情報が付加された上記混在データを記録する
請求項１に記載のデータ記録装置。
【請求項１８】
上記区間特定部により上記音楽部分区間と上記会話部分区間とが特定された上記混在データを、上記音楽部分区間の音楽部分区間データと上記会話部分区間の会話部分区間データとに分割する分割部
を具え、
上記記憶部は、
上記混在データとして、上記分割部により分割された上記音楽部分区間データと上記会話部分区間データを記録する
請求項１に記載のデータ記録装置。
【請求項１９】
音楽部分と、会話部分とが混在して形成された混在データから、当該混在データがどれだけ音楽らしいかを表す曲らしさを検出すると共に、当該混在データの音量レベルを検出する検出ステップと、
上記曲らしさと上記音量レベルとに応じて、上記混在データの中で、上記音楽部分に相当する音楽部分区間と、上記会話部分に相当する会話部分区間とを特定する区間特定ステップと、
上記音楽部分区間と上記会話部分区間とを特定した上記混在データを記録する記録ステップと
を具えるデータ記録方法。
【請求項２０】
コンピュータに対し、
音楽部分と、会話部分とが混在して形成された混在データから、当該混在データがどれだけ音楽らしいかを表す曲らしさを検出すると共に、当該混在データの音量レベルを検出する検出ステップと、
上記曲らしさと上記音量レベルとに応じて、上記混在データの中で、上記音楽部分に相当する音楽部分区間と、上記会話部分に相当する会話部分区間とを特定する区間特定ステップと、
上記音楽部分区間と上記会話部分区間とを特定し上記混在データを記録する記録ステップと
を実行させるためのデータ記録プログラム。